(57)【要約】      （修正有）【課題】意匠シート３が簡単に取り外されることがない構造とし、遊技機の宣伝を継続して行うことが可能な椅子カバーを提供する。【解決手段】背面カバーシート６及び前面カバーシート７からなり、下部が開口部８となっている袋状に形成されて遊技場の椅子の背もたれ部を覆うカバー本体２と、背面カバーシート６を覆う大きさに形成されると共にデザインが施されており、デザインが遊技場の通路側に臨むように背面カバーシート６の後側に取り付けられる意匠シート３と、開口部８を除いた背面カバーシート６の周辺部及びこれに対応した意匠シート３の周辺部に取り付けられ、相互に係合することにより意匠シート３を背面カバーシート６に対して着脱自在に取り付ける係合部材とを備える。【選択図】図２
0003161183.tif 000002
【実用新案登録請求の範囲】
【請求項１】
背面カバーシート及び前面カバーシートからなり、下部が開口部となっている袋状に形成されて遊技場の椅子の背もたれ部を覆うカバー本体と、
前記背面カバーシートを覆う大きさに形成されると共にデザインが施されており、前記デザインが遊技場の通路側に臨むように前記背面カバーシートの後側に取り付けられる意匠シートと、
前記開口部を除いた背面カバーシートの周辺部及びこれに対応した前記意匠シートの周辺部に取り付けられ、相互に係合することにより意匠シートを背面カバーシートに対して着脱自在に取り付ける係合部材とを備えていることを特徴とする椅子カバー。
【請求項２】
前記係合部材は、オープンファスナー、レールファスナー又は面ファスナーのいずれかであることを特徴とする請求項１記載の椅子カバー。
【請求項３】
前記前面カバーシートの前側に設けられ、前面カバーシートとの間に副材収容用のポケットを形成する外側シートをさらに備えていることを特徴とする請求項１記載の椅子カバー。
【請求項４】
前記意匠シートの下部に、椅子の背もたれ部の下部を覆い隠すスカート部が一体に形成されていることを特徴とする請求項１記載の椅子カバー。
【考案の詳細な説明】
【技術分野】
【０００１】
本考案は、遊技場におけるパチンコ台、スロット台やゲーム機の椅子に取り付けられる椅子カバーに関し、特に遊技宣伝機能や情報提供機能を備えた椅子カバーに関する。
【背景技術】
【０００２】
パチンコホール等の遊技場においては、椅子カバーが椅子の背もたれ部を覆うように取り付けられる。この椅子カバーにおいては、遊技機の機種の宣伝、他の遊技機との区別を行うための絵柄や文字等のデザインが椅子の通路側に臨むように印刷されたものが用いられている。一方、この椅子カバーでは、遊技機の交換に際し、新規の遊技機に合わせたデザインを施した椅子カバーに交換する必要があるため、遊技機の交換の後は、従前のデザインの椅子カバーが廃棄処分となっており、資源の無駄となっている。
【０００３】
このような資源の無駄を省くための従来の椅子カバーが特許文献１及び２に記載されている。これらの椅子カバーは、上部が開口された透明ポケットを背面側に設け、遊技機に関する絵柄等のデザインが印刷された意匠シートを透明ポケット内に上部から差し込む構造となっている。これにより、意匠シートが遊技場の通路側から見えるため、遊技機の宣伝を行うようになっている。そして、新規の遊技機に交換する際には、意匠シートを抜き取って新規の遊技機に対応したデザインの意匠シートを透明ポケットに差し込む。これにより、椅子カバーの全体を廃棄する必要がなくなるため、資源の無駄を省くことができる。
【先行技術文献】
【特許文献】
【０００４】
【特許文献１】実用新案登録第３１０４２２３号公報
【特許文献２】実用新案登録第３１０４２９０号公報
【考案の概要】
【考案が解決しようとする課題】
【０００５】
しかしながら、特許文献１及び２に記載されている従来の椅子カバーにおいては、客が意匠シートを透明シートから簡単に抜き取って取り外すことができるため、意匠シートが持ち去られる問題がある。そして、意匠シートが取り外されることにより、遊技機の宣伝効果が消失する問題も発生する。
【０００６】
本考案は、このような問題点を考慮してなされたものであり、意匠シートが簡単に取り外されることがない構造とし、遊技機の宣伝を継続して行うことが可能な椅子カバーを提供することを目的とする。
【課題を解決するための手段】
【０００７】
本考案の椅子カバーは、背面カバーシート及び前面カバーシートからなり、下部が開口部となっている袋状に形成されて遊技場の椅子の背もたれ部を覆うカバー本体と、前記背面カバーシートを覆う大きさに形成されると共にデザインが施されており、前記デザインが遊技場の通路側に臨むように前記背面カバーシートの後側に取り付けられる意匠シートと、前記開口部を除いた背面カバーシートの周辺部及びこれに対応した前記意匠シートの周辺部に取り付けられ、相互に係合することにより意匠シートを背面カバーシートに対して着脱自在に取り付ける係合部材とを備えていることを特徴とする。
【０００８】
この場合、前記係合部材は、オープンファスナー、レールファスナー又は面ファスナーのいずれかであることが好ましい。
【０００９】
又、前記前面カバーシートの前側に設けられ、前面カバーシートとの間に副材収容用のポケットを形成する外側シートをさらに備えていることが好ましい。
【００１０】
又、前記意匠シートの下部に、椅子の背もたれ部の下部を覆い隠すスカート部が一体に形成されていることが好ましい。
【考案の効果】
【００１１】
本考案によれば、係合部材の係合を強制的に解除しなければ意匠シートを背面カバーシートから取り外すことができない構造となっている。このため、意匠シートを簡単に取り外すことができず、客による意匠シートの不用意な持ち去りを防止することができる。これにより、意匠シートによる遊技機の宣伝を継続して行うことができる。又、遊技機の交換に際しては、従業員の操作によって係合部材の係合を解除し、新規な遊技機に合わせたデザインの意匠シートだけをカバー本体に交換するだけ良く、椅子カバーの全体を廃棄する必要がないため、資源の無駄を省くことができる。
【図面の簡単な説明】
【００１２】
【図１】本考案の一実施形態の椅子カバー１を示し、（Ａ）は背面図、（Ｂ）は正面図である。
【図２】（Ａ）、（Ｂ）はカバー本体２に対する意匠シート３の装着を示す正面図、（Ｃ）はカバー本体２の背面図である。
【図３】係合部材としてのオープンファスナーの一例を示す正面図である。
【図４】オープンファスナーの別例を示す斜視図である。
【図５】（Ａ）、（Ｂ）、（Ｃ）は椅子カバー１を椅子に装着した状態を示す背面図、正面図、側面図である。
【図６】カバー本体に対する意匠シートの交換を説明する正面図である。
【図７】（Ａ）、（Ｂ）は副材としてのクッションを収納する操作を示す正面図である。
【図８】カバー本体に対する意匠シートの交換を示す側面図である。
【図９】カバーシートに対する意匠シートの交換を示す背面図である。
【考案を実施するための形態】
【００１３】
以下、本考案の一実施形態の椅子カバーについて図１〜図９により具体的に説明する。図１（Ａ）は、椅子カバー１の正面図、（Ｂ）は背面図であり、図２（Ａ）、（Ｂ）、（Ｃ）は、椅子カバー１の部品を示す。これらの図に示すように、椅子カバー１は、カバー本体２と、意匠シート３と、係合部材４とを備えている。
【００１４】
カバー本体２は、背面カバーシート６及び前面カバーシート７とが面合わせされ、これらの周囲を縫い合わせることにより袋状に形成されている。袋状に形成されたカバー本体２は、図５に示すように、遊技場の椅子２０の背もたれ部２１を覆うものであり、背面カバーシート６が背もたれ部２１の背面側に、前面カバーシート７が背もたれ部２１の前面側に位置する。すなわち、背面カバーシート６が遊技場の通路側に設けられるものである。背面カバーシート６は、布シート、樹脂シート等によって形成され、前面カバーシート７は、布シート、樹脂シートの他にウレタンシート等の発泡シートによって形成されている。前面カバーシート７を発泡シートによって形成することにより、適度なクッション性を備え、着座者の疲労を軽減させることができ、しかも使用時における皺の発生を抑制することができる。
【００１５】
カバー本体２における背面カバーシート６及び前面カバーシート７の縫い合わせは、下部に開口部８が形成されるようになされるものである。椅子２０の背もたれ部２１は、この下部の開口部８からカバー本体２内に挿入され、この挿入により椅子カバー１が背もたれ部２１を覆うように背もたれ部２１に取り付けられる。
【００１６】
意匠シート３は、カバー本体２における背面カバーシート６側に取り付けられるものである。背面カバーシート６側への取り付けにより、意匠シート３の表面は遊技場の通路側に臨むようになっている。この意匠シート３の表面には、図９に示すように、デザイン１０が印刷等により施されるものである。デザイン１０は、遊技場のパチンコ台やゲーム機に関連した絵柄や文字、パチンコ台やゲーム機の遊技方法、遊技場のイベントに関連した絵柄や文字等により形成される。意匠シート３は、背面カバーシート６を覆う大きさに形成されており、背面カバーシート６に取り付けられることにより、背面カバーシート６の背面全体を覆うようになっている。
【００１７】
係合部材４は、開口部８を除く背面カバーシート６の周辺部に設けられると共に、この背面カバーシート６の周辺部に対応した意匠シート３の周辺部に設けられるものであり、雌雄一対となって背面カバーシート６及び意匠シート３に設けられる。すなわち、係合部材４は、背面カバーシート６側の半体４ａと、意匠シート３側の半体４ｂとによって形成され、これらの半体４ａ、４ｂが相互に係合することにより意匠シート３を背面カバーシート６に取り付けると共に、半体４ａ、４ｂの相互の係合が解除されることにより意匠シート３が背面カバーシート６から取り外される。この場合、背面カバーシート６側の半体４ａは開口部８を除く背面カバーシート６の周辺部の全域に設けられており、この半体４ａに意匠シート３側の他方の半体４ｂが係合すると、意匠シート３は、下端部を除いた周辺部の全域が背面カバーシート６に結合するようになっている。かかる係合部材４としては、オープンファスナー、レールファスナー、面ファスナーのいずれか又はその他の構造の係合部材を用いることができる。
【００１８】
図３（Ａ）は、係合部材４としてのオープンファスナーの一例を示し、半体４ａが背面カバーシート６の周辺部に取り付けられ、半体４ｂが意匠シート３の周辺部に取り付けられる。これらのシート６、３への装着状態で半体４ｂ側の箱１２を、半体４ａの蝶棒１３に差し込み、スライダ１４をスライドさせることにより半体４ａ、４ｂの間で対向しているエレメント１５が係合して半体４ａ、４ｂが結合し、係合部材４の係合状態となる。これにより、意匠シート３を背面カバーシート６に取り付けることができる。これに対し、背面カバーシート６からの意匠シート３の取り外しは、図３（Ｂ）で示すように、係合状態のエレメント１５に対し、スライダ１４を反対方向にスライドさせてエレメント１５の係合を解除し（図３（Ｂ））、箱１２と蝶棒１３とを切り離す（図３（Ｃ））。この操作により、半体４ａと半体４ｂとが分離される。この分離によって、意匠シート３を裏面カバーシート６（カバー本体２）からの取り外すことができる。従って、意匠シート３の取り外しは、係合部材４への係合解除操作を強制的に行うことにより可能である。
【００１９】
図４は、オープンファスナーの別例を示し、半体４ａ側の円形のリング体１６に半体４ｂ側の小円形のピン体１７を嵌め込み、スライダ１４をスライドさせることによりエレメント１５が係合して半体４ａ、４ｂが結合する。これにより、係合部材４の係合状態となり、意匠シート３を背面カバーシート６に取り付けることができる。これに対し、背面カバーシート６からの意匠シート３の取り外しは、スライダ１４を反対方向にスライドさせてエレメント１５の係合を解除し、リング体１６とピン体１７との嵌め込みを切り離すことにより行う。従って、意匠シート３の取り外しは、係合部材４への係合解除操作を強制的に行うことにより可能である。
【００２０】
図示を省略するが、係合部材４としてレールファスナーを用いる場合、レールファスナーは、連続状の凹溝が形成された雌ファスナーと、連続状の凸条が形成された雄ファスナーとからなり、これらが係合部材４の半体４ａ、４ｂとなる。一方の半体４ａ（例えば雌ファスナー）を背面カバーシート６の周辺部に取り付け、他方の半体４ｂ（例えば雄ファスナー）を意匠シート３の周辺部に取り付け、凸条を凹溝に嵌め込むことにより意匠シート３の背面カバーシート６への取り付けを行うことができる。これに対し、背面カバーシート６からの意匠シート３の取り外しは、凸条と凹溝との嵌め込みを順次解除して切り離すことにより行うものであり、意匠シート３の取り外しは、係合部材４への係合解除操作を強制的に行うことにより可能である。
【００２１】
図示を省略するが、係合部材４として面ファスナーを用いる場合には、半体４ａを構成する雌側ファスナーを、例えば背面カバーシート６の周辺部に取り付け、半体４ｂを構成する雄側ファスナーを、例えば意匠シート３の周辺部に取り付けることにより可能である。面ファスナーの場合においても、雌側ファスナーに対し雄側ファスナーを係合させることにより意匠シート３を背面カバーシート６に取り付けることができる。意匠シート３の背面カバーシート６からの取り外しは、この係合を解除する係合解除操作を強制的に行うことにより可能である。
【００２２】
図１、図２、図６、図８に示すように、意匠シート３には、スカート部１８が一体に形成されている。スカート部１８は、カバー本体２よりも下方に位置するように意匠シート３の下部からつり下がるように設けられている。このように、スカート部１８を意匠シート３に設けることにより、図５に示すように、椅子２０の背もたれ部２１の下部を覆い隠すことができるため、使用上の美感を向上させることができる。なお、スカート部１８は省略することも可能である。
【００２３】
図６、図８及び図９は、この実施形態の作用を説明するものであり、これらの図において、３Ａ，３Ｂ，３Ｃはいずれも意匠シート３であり、その表面に施されたデザインが異なっている。これらの意匠シート３Ａ，３Ｂ，３Ｃにおいては、下端部を除いた周辺部に係合部材４の半体４ｂが取り付けられている。図８に示すように、カバー本体２を椅子２０の背もたれ部２１に被せた状態で、意匠シート３Ａを背面カバーシート６とから取り外し、他の意匠シート３Ｂ又は３Ｃに交換する。これにより、新規の遊技機に対応したデザインの意匠シート３に交換することができる。従って、椅子カバーの全体を廃棄する必要がなくなるため、資源の無駄を省くことができる。
【００２４】
又、係合部材４における半体４ａ、４ｂの相互の係合を強制的に解除しなければ意匠シート３を背面カバーシート６から取り外すことができない。このため、意匠シート３を簡単に取り外すことができず、客による意匠シート３の不用意な持ち去りを防止することができ、意匠シート３による遊技機の宣伝を継続して行うことができる。
【００２５】
図１、図２、図５、図６、図７、図８に示すように、前面カバーシート７を前面側には外側シート２５がさらに設けられている。外側シート２５は、前面カバーシート７の下側部分に対応した位置に設けられるものであり、これにより外側シート２５は着座者の腰部分に対応している。外側シート２５は、上端部を除いた周辺部が前面カバーシート７（及び背面カバーシート６）に縫い付けられるものであり、これにより外側シート２５と前面カバーシート７との間には、上部が開口した開口部２６を有するポケットが形成される。ポケットには、副材としてのクッション２７が出し入れ自在に収容される。ポケットに収容されたクッション２７は、不用意に落下することがない。
【００２６】
外側シート２５と前面カバーシート７との間の開口部２６には、面ファスナーからなる係止具２８が取り付けられており、開口部２６を開閉するようになっている。係止具２８を閉じることにより、ポケットに収容されたクッション２７がポケット内の定位置に位置しており、クッション２７が着座者の腰部分に接触してクッション性を有した状態で腰部分を支持する。このため、長時間着座の遊技を行っても痛みや疲労を軽減することができる。なお、係止具２８を省略しても良い。
【００２７】
外側シート２５としては、メッシュシートが用いられる。メッシュシートとすることにより、弾力性が付与されるため、ポケットに収容されるクッションの大小に合わせることが可能となる。又、ポケット内のクッション２７の有無を簡単に視認することができると共に、着座者の腰部分との間に通気性を付与することができる。この場合、外側シート２５としては、メッシュシート以外の布シート、樹脂シートを用いても良い。
【００２８】
図７は、クッション２７をポケットに収容する操作を示し、外側シート２５と前面カバーシート７との間の開口部２６からクッション２７を差し入れ、ポケットに収容する。その後、係止具２８を係止することにより開口部２６を閉じる。このことにより、クッション２７をポケット内に安定して収容することができる。なお、外側シート２５は省略することも可能である。
【符号の説明】
【００２９】
１  椅子カバー
２  カバー本体
３、３Ａ、３Ｂ、３Ｃ  意匠シート
４  係合部材
６  背面カバーシート
７  前面カバーシート
８  開口部
１０  デザイン
２０  椅子
２１  背もたれ部
２５  外側シート
２７  クッション（副材）
【図１】
0003161183.tif 000003
【図２】
0003161183.tif 000004
【図３】
0003161183.tif 000005
【図４】
0003161183.tif 000006
【図５】
0003161183.tif 000007
【図６】
0003161183.tif 000008
【図７】
0003161183.tif 000009
【図８】
0003161183.tif 000010
【図９】
0003161183.tif 000011